【手続補正書】
【提出日】平成18年5月1日(2006.5.1)
【手続補正１】
【補正対象書類名】明細書
【補正対象項目名】特許請求の範囲
【補正方法】変更
【補正の内容】
【特許請求の範囲】
【請求項１】  タービンケーシングを外部ケーシングと内部ケーシングとの二重構造に形成し、前記内部ケーシングの出口側にチップフローガイド、ルートフローガイドおよびベアリングコーンのうち、少なくとも二つ以上で構成するディフューザを備え、このディフューザの出口側に前記外部ケーシングと前記ベアリングコーンとで囲われるタービン排気室を備えた蒸気タービンにおいて、前記チップフローガイドのうち、チップフローガイド上半部を第１チップフローガイドと第２チップフローガイドとに二分割し、分割した第１チップフローガイドを内部ケーシング上半部に固設したことを特徴とする蒸気タービン。
【請求項２】  第２チップフローガイドは、外部ケーシングの側に支持させることを特徴とする請求項１記載の蒸気タービン。
【請求項３】  ベアリングコーンのうち少なくとも上半部は外部ケーシングに固定されるとともに、当該ベアリングコーン上半部から延設して設けたストラットにより第２チップフローガイドを支持したことを特徴とする請求項２記載の蒸気タービン。
【請求項４】  ストラットは、第２チップフローガイドの周方向に沿い、横断中心線を基点に角度４５°以上の左右に振り分けた位置に配設させたことを特徴とする請求項３記載の蒸気タービン。
【請求項５】  外部ケーシング上半部には補強リブが固設されるとともに、第２チップフローガイドは前記補強リブで支持されることを特徴とする請求項１記載の蒸気タービン。
【請求項６】  外部ケーシング上半部には整流板が個設されるとともに、第２チップフローガイドは前記整流板で支持されることを特徴とする請求項１記載の蒸気タービン。
【請求項７】  補強リブは、第２チップフローガイドとの間に位置決め部を備えたことを特徴とする請求項５記載の蒸気タービン。
【請求項８】  第２チップフローガイドを、前記第１チップフローガイドとの間にシール部を装着したボックス部を介して前記第１チップフローガイドに支持させたことを特徴とする請求項１記載の蒸気タービン。
【請求項９】  第２チップフローガイドを、前記第１チップフローガイドに着脱自在に接続する着脱部材を介して前記第１チップフローガイドに支持させたことを特徴とする請求項１記載の蒸気タービン。
【請求項１０】  第２チップフローガイドを前記第１ チップフローガイドに着脱自在に組み込む嵌合部を介して前記第１チップフローガイドに支持させたことを特徴とする請求項１記載の蒸気タービン。
【請求項１１】  第２チップフローガイドを前記第１チップフローガイドに開閉自在に装着する蝶番部を介して前記第１チップフローガイドに支持させたことを特徴とする請求項１記載の蒸気タービン。
【請求項１２】  タービンケーシングを外部ケーシングと内部ケーシングとの二重構造に形成し、前記内部ケーシングの出口側にチップフローガイド、ルートフローガイドおよびベアリングコーンのうち、少なくとも二つ以上で構成するディフューザを備え、このディフューザの出口側に前記外部ケーシングと前記ベアリングコーンとで囲われるタービン排気室を備えた蒸気タービンにおいて、前記チップフローガイドのうち、チップフローガイド上半部の一端部を内部ケーシング上半部に固設するとともに、チップフローガイド上半部の他端部の前記タービン排気室側の縁辺にベアリングコーン干渉回避部を形成したことを特徴とする蒸気タービン。
【請求項１３】  ベアリングコーン干渉回避部は、短形状の切欠凹陥部であることを特徴とする請求項１２記載の蒸気タービン。
【請求項１４】  ベアリングコーン干渉回避部は、正弦曲線形状の切欠凹陥部であることを特徴とする請求項１２記載の蒸気タービン。
【請求項１５】  ベアリングコーン干渉回避部は、直線部分と曲線部分とを組み合わせた切欠凹陥部であることを特徴とする請求項１２記載の蒸気タービン。
【手続補正２】
【補正対象書類名】明細書
【補正対象項目名】００３０
【補正方法】変更
【補正の内容】
【００３０】
本発明に係る蒸気タービンは、上述の目的を達成するために、請求項１に記載したように、タービンケーシングを外部ケーシングと内部ケーシングとの二重構造に形成し、前記内部ケーシングの出口側にチップフローガイド、ルートフローガイドおよびベアリングコーンのうち、少なくとも二つ以上で構成するディフューザを備え、このディフューザの出口側に前記外部ケーシングと前記ベアリングコーンとで囲われるタービン排気室を備えた蒸気タービンにおいて、前記チップフローガイドのうち、チップフローガイド上半部を第１チップフローガイドと第２チップフローガイドとに二分割し、分割した第１チップフローガイドを内部ケーシング上半部に固設したものである。
【手続補正３】
【補正対象書類名】明細書
【補正対象項目名】００３１
【補正方法】変更
【補正の内容】
【００３１】
また、本発明に係る蒸気タービンは、上述の目的を達成するために、請求項２に記載したように、第２チップフローガイドは、外部ケーシングの側に支持させるものである。
【手続補正４】
【補正対象書類名】明細書
【補正対象項目名】００３２
【補正方法】変更
【補正の内容】
【００３２】
また、本発明に係る蒸気タービンは、上述の目的を達成するために、請求項３に記載したように、ベアリングコーンのうち少なくとも上半部は外部ケーシングに固定されるとともに、当該ベアリングコーン上半部から延設して設けたストラットにより第２チップフローガイドを支持したものである。
【手続補正５】
【補正対象書類名】明細書
【補正対象項目名】００３４
【補正方法】変更
【補正の内容】
【００３４】
また、本発明に係る蒸気タービンは、上述の目的を達成するために、請求項５に記載したように、外部ケーシング上半部には補強リブが固設されるとともに、第２チップフローガイドは前記補強リブで支持されるものである。
【手続補正６】
【補正対象書類名】明細書
【補正対象項目名】００３５
【補正方法】変更
【補正の内容】
【００３５】
また、本発明に係る蒸気タービンは、上述の目的を達成するために、請求項６に記載したように、外部ケーシング上半部には整流板が個設されるとともに、第２チップフローガイドは前記整流板で支持されるものである。
【手続補正７】
【補正対象書類名】明細書
【補正対象項目名】００３７
【補正方法】変更
【補正の内容】
【００３７】
また、本発明に係る蒸気タービンは、上述の目的を達成するために、請求項８に記載したように、第２チップフローガイドを、前記第１チップフローガイドとの間にシール部を装着したボックス部を介して前記第１チップフローガイドに支持させたものである。
【手続補正８】
【補正対象書類名】明細書
【補正対象項目名】００３８
【補正方法】変更
【補正の内容】
【００３８】
また、本発明に係る蒸気タービンは、上述の目的を達成するために、請求項９に記載したように、第２チップフローガイドを、前記第１チップフローガイドに着脱自在に接続する着脱部材を介して前記第１チップフローガイドに支持させたものである。
【手続補正９】
【補正対象書類名】明細書
【補正対象項目名】００３９
【補正方法】変更
【補正の内容】
【００３９】
また、本発明に係る蒸気タービンは、上述の目的を達成するために、請求項１０に記載したように、第２チップフローガイドを前記第１チップフローガイドに着脱自在に組み込む嵌合部を介して前記第１チップフローガイドに支持させたものである。
【手続補正１０】
【補正対象書類名】明細書
【補正対象項目名】００４０
【補正方法】変更
【補正の内容】
【００４０】
また、本発明に係る蒸気タービンは、上述の目的を達成するために、請求項１１に記載したように、第２チップフローガイドを前記第１チップフローガイドに開閉自在に装着する蝶番部を介して前記第１チップフローガイドに支持させたものである。
【手続補正１１】
【補正対象書類名】明細書
【補正対象項目名】００８１
【補正方法】変更
【補正の内容】
【００８１】
【発明の効果】
以上の説明のとおり、本発明によれば、組立・分解作業が容易で、かつディフューザの静圧回復力を向上させたタービン排気室を提供できる。
【手続補正１２】
【補正対象書類名】明細書
【補正対象項目名】００８２
【補正方法】削除
【補正の内容】
【手続補正１３】
【補正対象書類名】明細書
【補正対象項目名】００８３
【補正方法】削除
【補正の内容】